(57)【要約】【課題】  差動線路を流れる信号波形の乱れを抑制しながらコモンモードノイズを減衰する。【解決手段】  コモンモードノイズフィルター１は、磁性体２上に互いに間隔を介して並設されている対を成すフィルターメイン信号線路３ａ，３ｂと、差動線路接続用電極６ａ，６ｂ，７ａ，７ｂと、フィルターメイン信号線路３ａ，３ｂを差動線路接続用電極６ａ，６ｂ，７ａ，７ｂに個別にさせるための連接用信号線路４ａ，４ｂ，５ａ，５ｂとを有する。コモンモードノイズフィルター１は磁性損失を利用してコモンモードノイズを減衰する。フィルターメイン信号線路３ａ，３ｂや、連接用信号線路４ａ，４ｂ，５ａ，５ｂ等のフィルター構成部位毎の特性インピーダンスの調整により、コモンモードノイズフィルター１全体の特性インピーダンスは差動線路に整合する特性インピーダンスとなっている。【選択図】        図１
2005064976.tif 000002
【特許請求の範囲】
【請求項１】
差動線路に組み込まれて差動線路を流れるコモンモードノイズを減衰させるコモンモードノイズフィルターであって、このコモンモードノイズフィルターは、磁性体上に互いに間隔を介して並設されている対を成すフィルターメイン信号線路と、それら各フィルターメイン信号線路の両端部から間隔を介して当該フィルターメイン信号線路の両端側にそれぞれ配置されている対を成す差動線路接続用電極と、各フィルターメイン信号線路の両端側にそれぞれ設けられて各フィルターメイン信号線路の端部をそれぞれ個別に差動線路接続用電極に連接させる対を成す連接用信号線路とを有して、対を成すフィルターメイン信号線路を流れるコモンモードノイズを磁性損失によって減衰させる構成と成しており、コモンモードノイズフィルター全体の特性インピーダンスは、差動線路に整合する特性インピーダンスに調整されていることを特徴とするコモンモードノイズフィルター。
【請求項２】
差動線路に組み込まれて差動線路を流れるコモンモードノイズを減衰させるコモンモードノイズフィルターであって、このコモンモードノイズフィルターは、磁性体上に互いに間隔を介して並設されている対を成すフィルターメイン信号線路と、それら各フィルターメイン信号線路の両端部から間隔を介して当該フィルターメイン信号線路の両端側にそれぞれ配置されている対を成す差動線路接続用電極と、各フィルターメイン信号線路の両端側にそれぞれ設けられて各フィルターメイン信号線路の端部をそれぞれ個別に差動線路接続用電極に連接させる対を成す連接用信号線路とを有して、対を成すフィルターメイン信号線路を流れるコモンモードノイズを磁性損失によって減衰させる構成と成しており、前記フィルターメイン信号線路と連接用信号線路と差動線路接続用電極とのフィルター構成部位は、それぞれ、それらフィルター構成部位毎に特性インピーダンスが調整されて、コモンモードノイズフィルター全体の特性インピーダンスが差動線路に整合する設定の特性インピーダンスに調整されていることを特徴とするコモンモードノイズフィルター。
【請求項３】
対を成すフィルターメイン信号線路間の間隔調整によるフィルターメイン信号線路の特性インピーダンス調整と、対を成す連接用信号線路間の間隔調整による連接用信号線路の特性インピーダンス調整と、対を成す差動線路接続用電極間の間隔調整による差動線路接続用電極の特性インピーダンス調整とのうちの少なくとも一つの特性インピーダンス調整が成されていることを特徴とする請求項１又は請求項２記載のコモンモードノイズフィルター。
【請求項４】
フィルターメイン信号線路と連接用信号線路と差動線路接続用電極とのうち、少なくとも連接用信号線路の特性インピーダンスが調整されて、コモンモードノイズフィルター全体の特性インピーダンスが差動線路に整合する設定の特性インピーダンスに調整されていることを特徴とする請求項１記載のコモンモードノイズフィルター。
【請求項５】
対を成す連接用信号線路間の間隔調整による連接用信号線路の特性インピーダンス調整が成されてコモンモードノイズフィルター全体の特性インピーダンスが差動線路に整合する設定の特性インピーダンスに調整されていることを特徴とする請求項１記載のコモンモードノイズフィルター。
【請求項６】
フィルターメイン信号線路の特性インピーダンスは、コモンモードノイズフィルター全体の設定の特性インピーダンスよりも低い構成と成し、連接用信号線路の特性インピーダンスは、コモンモードノイズフィルター全体の設定の特性インピーダンスよりも高める方向に調整されて、コモンモードノイズフィルター全体の特性インピーダンスが差動線路に整合する設定の特性インピーダンスに調整されている構成であって、対を成す差動線路接続用電極は、対を成すフィルターメイン信号線路間の間隔よりも広い間隔を介し、当該差動線路接続用電極間の中心位置を前記フィルターメイン信号線路間の中心位置と同一直線上に配置させて配設されており、対を成す連接用信号線路間の間隔は、フィルターメイン信号線路側から差動線路接続用電極に向かうに従って、連続的に又は段階的に広がっていることを特徴とする請求項１乃至請求項５の何れか１つに記載のコモンモードノイズフィルター。
【請求項７】
対を成すフィルターメイン信号線路が磁性体上に互いに間隔を介して並設されるのに代えて、対を成すフィルターメイン信号線路は、上下両面にグランド電極が形成された磁性体の内部に、絶縁体を介し上下方向に積層配置された状態で埋設されていることを特徴とする請求項１乃至請求項６の何れか１つに記載のコモンモードノイズフィルター。
【発明の詳細な説明】
【技術分野】
【０００１】
本発明は、差動線路に介設してコモンモードノイズを減衰するコモンモードノイズフィルターに関するものである。
【背景技術】
【０００２】
図８に示されるような互いに間隔を介して並設されている対を成す線路３０，３１から成る差動線路３２には、様々な原因によって、電磁雑音の放射の原因となるコモンモードノイズが流れてしまう。このため、差動線路３２にコモンモードチョークコイル３３を介設してコモンモードノイズを除去することが多い。
【０００３】
【特許文献１】特開２０００−２７７３３５号公報
【発明の開示】
【発明が解決しようとする課題】
【０００４】
上記のように差動線路３２に流れるコモンモードノイズを減衰させるためにコモンモードチョークコイル３３等のノイズ対策フィルタを差動線路３２に介設した場合に、ノイズ対策フィルタと差動線路３２との接続部分で、ノイズ対策フィルタと差動線路３２の特性インピーダンスの差異による特性インピーダンス不整合が生じることがある。特性インピーダンス不整合が生じた場合には、その特性インピーダンスの不整合面でディファレンシャルモード（ノーマルモード）信号の反射が生じる。このノイズ対策フィルタと差動線路３２との接続部分での信号反射のために、ディファレンシャルモード信号の一部はノイズ対策フィルタを通って伝送することができない。これにより、差動線路３２を通電している信号波形が乱れて情報を正確に伝送できないという問題が生じる。
【０００５】
本発明は上記課題を解決するために成されたものであり、その目的は、特性インピーダンス不整合に起因した信号反射による信号波形の乱れを抑制しながら差動線路を流れるコモンモードノイズを減衰するコモンモードノイズフィルターを提供することにある。
【課題を解決するための手段】
【０００６】
上記目的を達成するために、この発明は次に示すような構成をもって前記課題を解決するための手段としている。すなわち、この発明の構成の一つは、差動線路に組み込まれて差動線路を流れるコモンモードノイズを減衰させるコモンモードノイズフィルターであって、このコモンモードノイズフィルターは、磁性体上に互いに間隔を介して並設されている対を成すフィルターメイン信号線路と、それら各フィルターメイン信号線路の両端部から間隔を介して当該フィルターメイン信号線路の両端側にそれぞれ配置されている対を成す差動線路接続用電極と、各フィルターメイン信号線路の両端側にそれぞれ設けられて各フィルターメイン信号線路の端部をそれぞれ個別に差動線路接続用電極に連接させる対を成す連接用信号線路とを有して、対を成すフィルターメイン信号線路を流れるコモンモードノイズを磁性損失によって減衰させる構成と成しており、コモンモードノイズフィルター全体の特性インピーダンスは、差動線路に整合する特性インピーダンスに調整されていることを特徴としている。
【０００７】
また、この発明の別の構成の一つは、差動線路に組み込まれて差動線路を流れるコモンモードノイズを減衰させるコモンモードノイズフィルターであって、このコモンモードノイズフィルターは、磁性体上に互いに間隔を介して並設されている対を成すフィルターメイン信号線路と、それら各フィルターメイン信号線路の両端部から間隔を介して当該フィルターメイン信号線路の両端側にそれぞれ配置されている対を成す差動線路接続用電極と、各フィルターメイン信号線路の両端側にそれぞれ設けられて各フィルターメイン信号線路の端部をそれぞれ個別に差動線路接続用電極に連接させる対を成す連接用信号線路とを有して、対を成すフィルターメイン信号線路を流れるコモンモードノイズを磁性損失によって減衰させる構成と成しており、前記フィルターメイン信号線路と連接用信号線路と差動線路接続用電極とのフィルター構成部位は、それぞれ、それらフィルター構成部位毎に特性インピーダンスが調整されて、コモンモードノイズフィルター全体の特性インピーダンスが差動線路に整合する設定の特性インピーダンスに調整されていることを特徴としている。
【０００８】
さらに、この発明の別の構成の一つは、対を成すフィルターメイン信号線路間の間隔調整によるフィルターメイン信号線路の特性インピーダンス調整と、対を成す連接用信号線路間の間隔調整による連接用信号線路の特性インピーダンス調整と、対を成す差動線路接続用電極間の間隔調整による差動線路接続用電極の特性インピーダンス調整とのうちの少なくとも一つの特性インピーダンス調整が成されていることを特徴としている。
【０００９】
さらに、この発明の別の構成の一つは、フィルターメイン信号線路と連接用信号線路と差動線路接続用電極とのうち、少なくとも連接用信号線路の特性インピーダンスが調整されて、コモンモードノイズフィルター全体の特性インピーダンスが差動線路に整合する設定の特性インピーダンスに調整されていることを特徴としている。
【００１０】
さらに、この発明の別の構成の一つは、対を成す連接用信号線路間の間隔調整による連接用信号線路の特性インピーダンス調整が成されてコモンモードノイズフィルター全体の特性インピーダンスが差動線路に整合する設定の特性インピーダンスに調整されていることを特徴としている。
【００１１】
さらに、この発明の別の構成の一つは、フィルターメイン信号線路の特性インピーダンスは、コモンモードノイズフィルター全体の設定の特性インピーダンスよりも低い構成と成し、連接用信号線路の特性インピーダンスは、コモンモードノイズフィルター全体の設定の特性インピーダンスよりも高める方向に調整されて、コモンモードノイズフィルター全体の特性インピーダンスが差動線路に整合する設定の特性インピーダンスに調整されている構成であって、対を成す差動線路接続用電極は、対を成すフィルターメイン信号線路間の間隔よりも広い間隔を介し、当該差動線路接続用電極間の中心位置を前記フィルターメイン信号線路間の中心位置と同一直線上に配置させて配設されており、対を成す連接用信号線路間の間隔は、フィルターメイン信号線路側から差動線路接続用電極に向かうに従って、連続的に又は段階的に広がっていることを特徴としている。
【００１２】
さらにまた、この発明の別の構成の一つは、対を成すフィルターメイン信号線路が磁性体上に互いに間隔を介して並設されるのに代えて、対を成すフィルターメイン信号線路は、上下両面にグランド電極が形成された磁性体の内部に、絶縁体を介し上下方向に積層配置された状態で埋設されていることを特徴としている。
【発明の効果】
【００１３】
この発明のコモンモードノイズフィルターは、磁性損失を利用して差動線路のコモンモードノイズを減衰させるものであり、コモンモードチョークコイルとは全く異なるものである。この発明では、そのコモンモードノイズフィルター全体の特性インピーダンスが、接続相手である差動線路の特性インピーダンスに整合するように調整されている。このため、コモンモードノイズフィルターと差動線路との接続部分でディファレンシャルモードの信号が反射することを防止することができる。よって、この発明のコモンモードノイズフィルターは、ディファレンシャルモードに対する信号反射を小さく抑制しながら、コモンモードノイズを減衰させることができる。
【００１４】
フィルターメイン信号線路と連接用信号線路と差動線路接続用電極の各フィルター構成部位は、それぞれ、それらフィルター構成部位毎に特性インピーダンスが調整されて、コモンモードノイズフィルター全体の特性インピーダンスが差動線路に整合する設定の特性インピーダンスに調整されているものにあっては、各フィルター構成部位毎に特性インピーダンスを調整することによって、上記全てのフィルター構成部位をまとめて１つの構成部として特性インピーダンスの調整を行う場合よりも、例えば特性インピーダンスを求めるための計算等が容易となって、コモンモードノイズフィルター全体の特性インピーダンスの調整が容易となる。これにより、コモンモードノイズフィルターの設計が容易となる。その上、より精度良く、コモンモードノイズフィルター全体の特性インピーダンスを差動線路の特性インピーダンスに整合させることが可能となる。
【００１５】
また、フィルターメイン信号線路と連接用信号線路と差動線路接続用電極の中では、連接用信号線路が最も設計の自由度が高い。このことから、少なくとも連接用信号線路を利用してコモンモードノイズフィルター全体の特性インピーダンスを差動線路の特性インピーダンスに整合させるための特性インピーダンス調整を行うことによって、良好なコモンモードノイズの減衰特性を持ち、しかも、差動線路に整合するコモンモードノイズフィルターを容易に得ることができる。
【００１６】
さらに、対を成すフィルターメイン信号線路間の間隔調整や、対を成す連接用信号線路間の間隔調整や、対を成す差動線路接続用電極間の間隔調整によって特性インピーダンスの調整を行うことにより、フィルターメイン信号線路や連接用信号線路や差動線路接続用電極の設計が容易となる。
【００１７】
さらに、コモンモードノイズフィルターを小型化すると、この小型化に起因してフィルターメイン信号線路の特性インピーダンスが差動線路の特性インピーダンスよりも低くなることが多い。これに対して、対を成す連接用信号線路間の間隔が、フィルターメイン信号線路側から差動線路接続用電極側に向かうに従って、連続的に又は段階的に広がる構成とすることにより、連接用信号線路の特性インピーダンスを差動線路の特性インピーダンスよりも大きくすることができる。よって、フィルターメイン信号線路の特性インピーダンスが差動線路の特性インピーダンスよりも低くなる分、連接用信号線路の特性インピーダンスを差動線路の特性インピーダンスよりも大きくして、コモンモードノイズフィルター全体の特性インピーダンスを差動線路の特性インピーダンスに整合させることができる。
【００１８】
上下両面にグランド電極が形成された磁性体の内部に、対を成すフィルターメイン信号線路が上下方向に積層配置された状態で、埋設されているものにあっては、対を成すフィルターメイン信号線路の全体が磁性体に囲まれているので、例えば、フィルターメイン信号線路が磁性体の表面に形成されている場合よりも、フィルターメイン信号線路を流れるコモンモードノイズの磁性損失を増加させることができることとなり、より効率的にコモンモードノイズを減衰させることができる。このようなものにあっても、上記同様に、コモンモードノイズフィルター全体の特性インピーダンスの調整を行って、差動線路の特性インピーダンスに整合する特性インピーダンスをコモンモードノイズフィルターに持たせることによって、ディファレンシャルモード信号の反射に起因した信号波形の乱れを抑制することができる。
【発明を実施するための最良の形態】
【００１９】
以下に、この発明に係る実施形態例を図面に基づいて説明する。
【００２０】
図１（ａ）には第１実施形態例のコモンモードノイズフィルターが差動線路に組み込まれた状態で模式的な斜視図により示され、図１（ｂ）には図１（ａ）の上側から第１実施形態例のコモンモードノイズフィルターを見た平面図が模式的に示されている。この第１実施形態例のコモンモードノイズフィルター１は磁性体基体２を有し、この磁性体基体２には、フィルターメイン信号線路３ａ，３ｂと、連接用信号線路４ａ，４ｂ，５ａ，５ｂと、差動線路接続用電極６ａ，６ｂ，７ａ，７ｂと、グランド電極（図示せず）とが形成されている。
【００２１】
詳細に述べれば、図１（ａ）、（ｂ）において、磁性体基体２の表面の中央領域に対を成すフィルターメイン信号線路３ａ，３ｂが互いに間隔を介して並設されている。これら対を成すフィルターメイン信号線路３ａ，３ｂ間の間隔は、例えば数μｍ程度である。
【００２２】
また、磁性体基体２の左側端部には、対を成す差動線路接続用電極６ａ，６ｂが、互いに間隔を介し、磁性体基体２の表面から側面を通り底面に掛けて伸長形成されている。これら対を成す差動線路接続用電極６ａ，６ｂ間の間隔は、コモンモードノイズフィルター１が組み込まれる差動線路１０の対を成す線路１１ａ，１１ｂ間の間隔に応じた間隔となっており、例えば数百μｍ程度である。
【００２３】
また、差動線路接続用電極６ａ，６ｂと同様な対を成す差動線路接続用電極７ａ，７ｂが、磁性体基体２の右側端部に、互いに間隔を介し、磁性体基体２の表面から側面を通り底面に掛けて伸長形成されている。これら差動線路接続用電極７ａ，７ｂ間の間隔も、差動線路１０の対を成す線路１１ａ，１１ｂ間の間隔に応じた間隔となっており、例えば数百μｍ程度である。つまり、この第１実施形態例では、対を成す差動線路接続用電極６ａ，６ｂ（７ａ，７ｂ）間の間隔は、対を成すフィルターメイン信号線路３ａ，３ｂ間の間隔よりも格段に広くなっている。
【００２４】
磁性体基体２の底面には、上記のように差動線路接続用電極６ａ，６ｂ，７ａ，７ｂのそれぞれの一部が回り込んで形成されており、当該磁性体基体２の底面には、それら差動線路接続用電極６ａ，６ｂ，７ａ，７ｂを避けたほぼ底面全面にグランド電極（図示せず）が形成されている。
【００２５】
磁性体基体２の表面には、フィルターメイン信号線路３ａ，３ｂの各左側端部をそれぞれ個別に差動線路接続用電極６ａ，６ｂに連接させるための対を成す連接用信号線路４ａ，４ｂが形成されると共に、フィルターメイン信号線路３ａ，３ｂの各右側端部をそれぞれ個別に差動線路接続用電極７ａ，７ｂに連接させるための対を成す連接用信号線路５ａ，５ｂが形成されている。
【００２６】
この第１実施形態例では、対を成すフィルターメイン信号線路３ａ，３ｂ間の中心位置と、対を成す差動線路接続用電極６ａ，６ｂ間の中心位置と、対を成す差動線路接続用電極７ａ，７ｂ間の中心位置とは、同一直線上に配置されている。また、対を成す差動線路接続用電極６ａ，６ｂ（７ａ，７ｂ）間の間隔は、対を成すフィルターメイン信号線路３ａ，３ｂ間の間隔よりも広い。さらに、対を成す連接用信号線路４ａ，４ｂ間の間隔、および、対を成す連接用信号線路５ａ，５ｂ間の間隔は、それぞれ、フィルターメイン信号線路３ａ，３ｂ側から差動線路接続用電極６ａ，６ｂ（７ａ，７ｂ）側に向かうに従って連続的に広がっている。すなわち、この第１実施形態例では、対を成す連接用信号線路４ａ，４ｂと、対を成す連接用信号線路５ａ，５ｂとは、それぞれ、略Ｖ字形状を形作るように配置形成されている。
【００２７】
第１実施形態例のコモンモードノイズフィルター１は上記のような構成を備えている。コモンモードノイズフィルター１の差動線路接続用電極６ａ，７ａがそれぞれ差動線路１０の線路１１ａに例えば半田等の接合手段により接続され、また、差動線路接続用電極６ｂ，７ｂがそれぞれ差動線路１０の線路１１ｂに例えば半田等の接合手段により接続されることにより、コモンモードノイズフィルター１のフィルターメイン信号線路３ａ，３ｂは、差動線路接続用電極６ａ，６ｂ，７ａ，７ｂと、連接用信号線路４ａ，４ｂ，５ａ，５ｂとを介して、差動線路１０に組み込まれる。これにより、電流は、コモンモードノイズフィルター１の差動線路接続用電極６ａ，７ａと連接用信号線路４ａ，５ａとフィルターメイン信号線路３ａを介して差動線路１０の線路１１ａを通電し、また、コモンモードノイズフィルター１の差動線路接続用電極６ｂ，７ｂと連接用信号線路４ｂ，５ｂとフィルターメイン信号線路３ｂを介して電流が差動線路１０の線路１１ｂを通電することになる。
【００２８】
第１実施形態例のコモンモードノイズフィルター１においては、次に示すようにコモンモードノイズを減衰させることができる。すなわち、コモンモードノイズは、対を成すフィルターメイン信号線路３ａ，３ｂに通電している電流の向きが同方向であることから、コモンモードノイズの電流に起因して、各フィルターメイン信号線路３ａ，３ｂから例えば図１（ｃ）の断面図の実線αに示されるような磁束が発生し、これら磁束が合成されて強まって図１（ｃ）の点線βのような磁束が生じる。この合成磁束βは磁性体基体２を通る経路部分が磁束αに比べて長くなっている。フィルターメイン信号線路３ａ，３ｂを流れる電流の磁性損失は、磁束の経路長（平均磁路長）が長く、また、経路部分の透磁率が高くなるにつれて大きくなるから、フィルターメイン信号線路３ａ，３ｂを流れるコモンモードノイズを磁性損失によって効果的に減衰させることが可能である。
【００２９】
これに対して、ディファレンシャルモードの電流（つまり、正規の電流）は、フィルターメイン信号線路３ａ，３ｂを流れる電流の通電方向が互いに逆向きで、かつ、通電量がほぼ等しい。このことから、フィルターメイン信号線路３ａ，３ｂを流れるディファレンシャルモードの電流に基づいた磁束は互いに打ち消し合って弱くなる。このため、ディファレンシャルモードの電流の磁束が磁性体基体２から受ける影響は非常に小さくなり、これにより、ディファレンシャルモードの電流は殆ど磁性損失無くフィルターメイン信号線路３ａ，３ｂを通電することになる。つまり、ディファレンシャルモードの電流に対しては、フィルターメイン信号線路３ａ，３ｂはただの線路として振る舞う。
【００３０】
以上のように、コモンモードノイズフィルター１は、コモンモードチョークコイルと異なり、磁性損失を利用してコモンモードノイズを減衰させて差動線路１０からコモンモードノイズをほぼ取り除くことが可能なものである。
【００３１】
ところで、上記のような差動線路１０とコモンモードノイズフィルター１との接続部分で、それら差動線路１０とコモンモードノイズフィルター１の特性インピーダンスの差違によって特性インピーダンス不整合が生じると、その特性インピーダンス不整合部分で、ディファレンシャルモード信号の反射が生じる。これを防止するために、コモンモードノイズフィルター１全体の特性インピーダンス（換言すれば、コモンモードノイズフィルター１のディファレンシャル影像インピーダンス）Ｚ0fが、差動線路１０の特性インピーダンスＺ0kに整合する特性インピーダンスであることが望ましい。
【００３２】
そこで、この第１実施形態例では、コモンモードノイズフィルター１全体の特性インピーダンスＺ0fが次に示すように調整されている。すなわち、この第１実施形態例では、コモンモードノイズフィルター１において、電流が通電する部分は、フィルターメイン信号線路３ａ，３ｂの部分と、連接用信号線路４ａ，４ｂ，５ａ，５ｂの部分と、差動線路接続用電極６ａ，６ｂ，７ａ，７ｂの部分というような３つのフィルター構成部位に大別することができる。ここでは、それら３つの各フィルター構成部位毎に、それぞれ、特性インピーダンスが以下に述べるように調整されて、コモンモードノイズフィルター１全体の特性インピーダンスＺ0fが、差動線路１０の特性インピーダンスＺ0kに整合する設定の特性インピーダンスに調整されている。
【００３３】
つまり、対を成すフィルターメイン信号線路３ａ，３ｂにおいては、それらフィルターメイン信号線路３ａ，３ｂ間の間隔や、フィルターメイン信号線路３ａ，３ｂの線路幅などの調整によって、対を成すフィルターメイン信号線路３ａ，３ｂの特性インピーダンスＺ0lを調整することができる。このことを考慮して、この第１実施形態例では、コモンモードノイズフィルター１がコモンモードノイズを予め定めたレベル以下に減衰することができる良好なコモンモードノイズ減衰特性を得ることができるように、また、フィルターメイン信号線路３ａ，３ｂの特性インピーダンスＺ0lが差動線路１０の特性インピーダンスＺ0kに基づいて予め定めた特性インピーダンスとなるように、対を成すフィルターメイン信号線路３ａ，３ｂ間の間隔や、フィルターメイン信号線路３ａ，３ｂの線路幅などが設計されて、対を成すフィルターメイン信号線路３ａ，３ｂの特性インピーダンスＺ0lが調整されている。
【００３４】
また、対を成す差動線路接続用電極６ａ，６ｂ（７ａ，７ｂ）の特性インピーダンスＺ0dに関しては、対を成す差動線路接続用電極６ａ，６ｂ（７ａ，７ｂ）間の間隔や、差動線路接続用電極６ａ，６ｂ（７ａ，７ｂ）の電極面の大きさなどの調整によって、差動線路接続用電極６ａ，６ｂ（７ａ，７ｂ）の特性インピーダンスＺ0dを調整することができる。また、コモンモードノイズフィルター１全体の特性インピーダンスＺ0fが差動線路１０の特性インピーダンスＺ0kとなるための差動線路接続用電極６ａ，６ｂ（７ａ，７ｂ）の特性インピーダンスＺ0dは、例えば、他のフィルター構成部位の特性インピーダンス（つまり、フィルターメイン信号線路３ａ，３ｂの特性インピーダンスＺ0lと連接用信号線路４ａ，４ｂ（５ａ，５ｂ）の特性インピーダンスＺ0N）を考慮しながら、例えばシミュレーション等により予め求めることができる。これらのことから、この第１実施形態例では、各差動線路接続用電極６ａ，６ｂ（７ａ，７ｂ）が、それぞれ、接続対象の差動線路１０の線路１１ａ，１１ｂに接続することができるように、また、差動線路接続用電極６ａ，６ｂ（７ａ，７ｂ）の特性インピーダンスＺ0dが、コモンモードノイズフィルター１全体の特性インピーダンスＺ0fを差動線路１０の特性インピーダンスＺ0kと同じにするための予め求めた設定の特性インピーダンスとなるように、対を成す差動線路接続用電極６ａ，６ｂ（７ａ，７ｂ）間の間隔や、差動線路接続用電極６ａ，６ｂ（７ａ，７ｂ）の電極面の大きさなどが設計されて、差動線路接続用電極６ａ，６ｂ（７ａ，７ｂ）の特性インピーダンスＺ0dが調整されている。
【００３５】
さらに、対を成す連接用信号線路４ａ，４ｂ（５ａ，５ｂ）の特性インピーダンスＺ0Nに関しても、フィルターメイン信号線路３ａ，３ｂの特性インピーダンスＺ0lと同様に、連接用信号線路４ａ，４ｂ（５ａ，５ｂ）間の間隔や、連接用信号線路４ａ，４ｂ（５ａ，５ｂ）の線路幅などの調整によって、連接用信号線路４ａ，４ｂ（５ａ，５ｂ）の特性インピーダンスＺ0Nを調整することができる。この第１実施形態例では、連接用信号線路４ａ，４ｂ（５ａ，５ｂ）の線路幅はフィルターメイン信号線路３ａ，３ｂの線路幅と等しい構成と成して調整が難しいことから、対を成す連接用信号線路４ａ，４ｂ（５ａ，５ｂ）の特性インピーダンスＺ0Nの調整は、主に連接用信号線路４ａ，４ｂ（５ａ，５ｂ）間の間隔調整によって行われている。
【００３６】
ところで、前記３つのフィルター構成部位（つまり、フィルターメイン信号線路３ａ，３ｂと、連接用信号線路４ａ，４ｂ，５ａ，５ｂと、差動線路接続用電極６ａ，６ｂ，７ａ，７ｂ）の中で、設計の自由度が最も高いのは連接用信号線路４ａ，４ｂ，５ａ，５ｂである。このため、この第１実施形態例では、差動線路１０の特性インピーダンスＺ0kに対するフィルターメイン信号線路３ａ，３ｂの特性インピーダンスＺ0lのずれ、および、差動線路１０の特性インピーダンスＺ0kに対する差動線路接続用電極６ａ，６ｂ（７ａ，７ｂ）の特性インピーダンスＺ0dのずれを考慮して、コモンモードノイズフィルター１全体の特性インピーダンスＺ0fが差動線路１０の特性インピーダンスＺ0lに整合する特性インピーダンスとなるように、連接用信号線路４ａ，４ｂ（５ａ，５ｂ）の特性インピーダンスＺ0Nが調整されている。つまり、この第１実施形態例では、連接用信号線路４ａ，４ｂ（５ａ，５ｂ）は、実質的に、コモンモードノイズフィルター１全体の特性インピーダンスＺ0fの調整部として機能している。
【００３７】
例えば、コモンモードノイズフィルター１は小型化の傾向にあることと、フィルターメイン信号線路３ａ，３ｂの形成工法に起因して当該フィルターメイン信号線路３ａ，３ｂを構成する材料が限定されること等の様々な原因によって、フィルターメイン信号線路３ａ，３ｂの特性インピーダンスＺ0lは、差動線路１０の特性インピーダンスＺ0kよりも低くなることが多い。この第１実施形態例では、対を成す連接用信号線路４ａ，４ｂ（５ａ，５ｂ）は、略Ｖ字形状を形作るように配置形成されており、当該連接用信号線路４ａ，４ｂ（５ａ，５ｂ）は、平行に配置されている対を成すフィルターメイン信号線路３ａ，３ｂよりも大きい特性インピーダンスを持つことができる。このことから、フィルターメイン信号線路３ａ，３ｂの特性インピーダンスＺ0lが、差動線路１０の特性インピーダンスＺ0kよりも低い場合には、連接用信号線路４ａ，４ｂ（５ａ，５ｂ）は、その差動線路１０の特性インピーダンスＺ0kに対するフィルターメイン信号線路３ａ，３ｂの特性インピーダンスＺ0lのずれを考慮して、コモンモードノイズフィルター１全体の特性インピーダンスＺ0fが差動線路１０の特性インピーダンス0dに整合するための、差動線路１０の特性インピーダンスＺ0kよりも大きな特性インピーダンスに調整される。
【００３８】
なお、この第１実施形態例に示すように、対を成す連接用信号線路４ａ，４ｂ（５ａ，５ｂ）間の間隔が、フィルターメイン信号線路３ａ，３ｂ側から差動線路接続用電極６ａ，６ｂ（７ａ，７ｂ）側に向かうに従って、連続的に広がっている場合には、図１（ｂ）の点線に示すように多数に区分された線路が接続されて連接用信号線路４ａ，４ｂ（５ａ，５ｂ）が構成されていると見なす。そして、各区分の対を成す線路間の間隔は一定であると仮定して、各区分毎の特性インピーダンスＺ0nが求められ、それに基づいて連接用信号線路４ａ，４ｂ（５ａ，５ｂ）全体の特性インピーダンスＺ0Nが求められる。このことを利用して連接用信号線路４ａ，４ｂ（５ａ，５ｂ）の特性インピーダンスの調整が成されて当該連接用信号線路４ａ，４ｂ（５ａ，５ｂ）が設計される。
【００３９】
以上のように、コモンモードノイズフィルター１を構成する各フィルター構成部位毎に、特性インピーダンスが調整されて、コモンモードノイズフィルター１全体の特性インピーダンスＺ0fが差動線路１０の特性インピーダンスＺ0kに整合することで、コモンモードノイズフィルター１は、ディファレンシャルモード信号の反射を非常に小さく抑えて当該信号反射に起因した信号波形の乱れを抑制しながら、良好にコモンモードノイズを減衰させることが可能となる。
【００４０】
以下に、第２実施形態例を説明する。なお、この第２実施形態例の説明において、第１実施形態例と同一構成部分には同一符号を付し、その共通部分の重複説明は省略する。
【００４１】
図２には第２実施形態例のコモンモードノイズフィルターが模式的な斜視図により示されている。
【００４２】
この第２実施形態例のコモンモードノイズフィルター１では、フィルターメイン信号線路３ａ，３ｂはミアンダ状に形成されている。また、そのフィルターメイン信号線路３ａおよびその両側の連接用信号線路４ａ，５ａから成る一連の線路１４と、フィルターメイン信号線路３ｂおよびその両側の連接用信号線路４ｂ，５ｂから成る一連の線路１５とは、磁性体１６の内部に埋設されている。図３（ａ）には図２に示すＡ−Ａ部分の断面図が模式的に示されており、この図にも示されるように、線路３ａ，４ａ，５ａから成る一連の線路１４と、線路３ｂ，４ｂ，５ｂから成る一連の線路１５とは、フィルターメイン信号線路３ａ，３ｂが絶縁体１７を介して上下方向に対向するように、上下方向に積層配置されている。
【００４３】
なお、図３（ａ）の例では、フィルターメイン信号線路３ａ，３ｂにより挟み込まれている部分だけに絶縁体１７が設けられているが、例えば図３（ｂ）に示されるように、フィルターメイン信号線路３ａ，３ｂ間だけでなく、それらフィルターメイン信号線路３ａ，３ｂを囲む部分にも絶縁体１７を設けてもよい。
【００４４】
また、連接用信号線路４ａ，４ｂが形成されている部分、および、連接用信号線路５ａ，５ｂが形成されている部分にも、それぞれ、例えば図４（ａ）に示されるように絶縁体１９が形成されている。図４（ａ）は連接用信号線路５ａ，５ｂと絶縁体１９だけを抜き出して模式的に表したものである。この図示の例では、絶縁体１９は、磁性体１６の例えば図２の左側側面から、連接用信号線路５ａ，５ｂ間の領域を通って磁性体１６の右側側面に至る形状と成している。なお、絶縁体１９は、図４（ｂ）に示すように、連接用信号線路５ａ，５ｂ間の領域だけに設けてもよい。なお、図４（ａ）、（ｂ）では、連接用信号線路５ａ，５ｂの形成部分だけが示されているが、連接用信号線路４ａ，４ｂの形成部分に関しても同様な絶縁体１９が設けられる。
【００４５】
磁性体１６の図２の左側端面には差動線路接続用電極６ａ，６ｂが互いに間隔を介して並設され、また、磁性体１６の右側端面には差動線路接続用電極７ａ，７ｂが互いに間隔を介して並設されている。連接用信号線路４ａ，４ｂ，５ａ，５ｂは、それぞれ、予め定められた接続相手の差動線路接続用電極６ａ，６ｂ，７ａ，７ｂに個別に接続されている。
【００４６】
磁性体１６の表裏両面には、それぞれ、グランド電極１８Ａ，１８Ｂが形成されている。
【００４７】
この第２実施形態例のコモンモードノイズフィルター１においても、第１実施形態例と同様に差動線路接続用電極６ａ，６ｂ，７ａ，７ｂによって差動線路１０に組み込まれて、差動線路１０を流れるコモンモードノイズを磁性損失によって効果的に減衰させることが可能である。この第２実施形態例では、フィルターメイン信号線路３ａ，３ｂ等のコモンモードノイズフィルター１を構成する全ての線路が磁性体１６の内部に埋設されているので、コモンモードノイズフィルター１の線路を流れるコモンモードノイズに基づいた磁束の経路部分の実効透磁率を第１実施形態例の構成よりも高くすることができる。これにより、第２の実施形態例の構成を備えることにより、第１実施形態例よりもコモンモードノイズの減衰をより確実なものとすることができる。
【００４８】
また、この第２実施形態例においても、第１実施形態例と同様に、コモンモードノイズフィルター１を構成する各フィルター構成部位毎に特性インピーダンスが調整されて、コモンモードノイズフィルター１全体の特性インピーダンスＺ0fが差動線路１０の特性インピーダンスＺ0kに整合する設定の特性インピーダンスとなっている。これにより、特性インピーダンス不整合に起因したディファレンシャルモードの信号反射を抑えることができて当該信号反射に因る信号波形の乱れを抑制することができる。
【００４９】
なお、この発明は第１と第２の各実施形態例に限定されるものではなく、様々な実施の形態を採り得る。例えば、第１と第２の各実施形態例では、対を成す連接用信号線路４ａ，４ｂ（５ａ，５ｂ）間の間隔は、フィルターメイン信号線路側から差動線路接続用電極側に向かうに従って、連続的に広がる構成であったが、例えば、図６に示されるように、対を成す連接用信号線路４ａ，４ｂ（５ａ，５ｂ）間の間隔は、フィルターメイン信号線路側から差動線路接続用電極側に向かうに従って、段階的に広がる構成であってもよい。この場合には、対を成す連接用信号線路４ａ，４ｂ（５ａ，５ｂ）間の間隔が段階的に可変するので、第１実施形態例に示すように連接用信号線路４ａ，４ｂ（５ａ，５ｂ）間の間隔が連続的に可変する場合によりも、連接用信号線路４ａ，４ｂ（５ａ，５ｂ）の特性インピーダンスを求めることが簡単となる。これにより、連接用信号線路４ａ，４ｂ（５ａ，５ｂ）の特性インピーダンスの調整、つまり、設計が容易となる。
【００５０】
また、対を成すフィルターメイン信号線路３ａ，３ｂの形状は特に限定されるものではなく、例えば、対を成すフィルターメイン信号線路３ａ，３ｂは、図７（ａ）に示されるようなジグザグに折れ曲がった形状でもよいし、図７（ｂ）に示されるような曲線状のミアンダ形状であってもよい。なお、対を成すフィルターメイン信号線路３ａ，３ｂ間の間隔は全領域に渡って等しいことが好ましい。
【００５１】
さらに、第１と第２の各実施形態例では、対を成すフィルターメイン信号線路３ａ，３ｂにおいて、コモンモードノイズを良好に減衰できるフィルター特性の向上と、フィルターメイン信号線路３ａ，３ｂの特性インピーダンス0lを差動線路１０の特性インピーダンスＺ0kに近付けることとを両方共に考慮して、フィルターメイン信号線路３ａ，３ｂ間の間隔や、線路幅等が設計されていたが、例えば、コモンモードノイズを良好に減衰させようとすると、フィルターメイン信号線路３ａ，３ｂの特性インピーダンス0lが差動線路１０の特性インピーダンスＺ0kから大きくずれてしまうというような事態が生じて、フィルターメイン信号線路３ａ，３ｂの特性インピーダンス0lの調整と、フィルター特性の向上とを両方共に達成することが困難である場合には、例えば、フィルター特性の向上を優先させてフィルターメイン信号線路３ａ，３ｂを設計してもよい。このような場合には、対を成すフィルターメイン信号線路３ａ，３ｂの特性インピーダンス0lは差動線路１０の特性インピーダンスＺ0kから大きくずれてしまうが、連接用信号線路４ａ，４ｂ，５ａ，５ｂの特性インピーダンスＺ0Nの調整と、差動線路接続用電極６ａ，６ｂ，７ａ，７ｂの特性インピーダンスＺ0kの調整とを行うことで、コモンモードノイズフィルター１全体の特性インピーダンスＺ0fを差動線路１０の特性インピーダンスＺ0kに整合させることができる。
【００５２】
また、様々な制約により差動線路接続用電極６ａ，６ｂ（７ａ，７ｂ）の特性インピーダンスＺ0dの調整が難しい場合には、少なくとも連接用信号線路４ａ，４ｂ，５ａ，５ｂの特性インピーダンスＺ0Nの調整が行われて、コモンモードノイズフィルター１全体の特性インピーダンスＺ0fが差動線路１０の特性インピーダンスＺ0kに整合する設定の特性インピーダンスに調整されている構成としてもよい。
【００５３】
さらに、連接用信号線路４ａ，４ｂ，５ａ，５ｂの形状は図１や図６等の形態に限定されるものではなく、例えば、ミアンダ状等の他の形状であってもよい。
【００５４】
さらに、第２実施形態例では、フィルターメイン信号線路３ａを含む一連の線路１４と、フィルターメイン信号線路３ｂを含む一連の線路１５とは絶縁体を介して上下方向に積層配置されていたが、磁性体１６内に埋設される線路１４，１５は、例えば、図５（ａ）の模式的な斜視図、および、図５（ｂ）（図５（ａ）に示すＢ−Ｂ部分の模式的な断面図）に示されるように、絶縁体１７を介して横方向に並設されていてもよい。なお、図５（ａ）、（ｂ）に示されるコモンモードノイズフィルター１においては、線路１４，１５の配置構成以外の構成は、第２実施形態例と同様である。
【００５５】
さらに、第１と第２の各実施形態例では、フィルターメイン信号線路３ａ，３ｂは、それぞれ、その両側が連接用信号線路４ａ，４ｂ，５ａ，５ｂを介して差動線路接続用電極６ａ，６ｂ，７ａ，７ｂに接続されていたが、例えば、応用例として、フィルターメイン信号線路３ａ，３ｂの一方側の端部は、連接用信号線路４ａ，４ｂ（又は５ａ，５ｂ）を介して差動線路接続用電極６ａ，６ｂ（又は７ａ，７ｂ）に接続される。これに対して、フィルターメイン信号線路３ａ，３ｂの他方側の端部側には連接用信号線路５ａ，５ｂ（又は４ａ，４ｂ）を設けず、フィルターメイン信号線路３ａ，３ｂの他方側の端部は差動線路接続用電極７ａ，７ｂ（又は６ａ，６ｂ）に直接的に接続される構成としてもよい。
【図面の簡単な説明】
【００５６】
【図１】第１実施形態例のコモンモードノイズフィルターを説明するための図である。
【図２】第２実施形態例のコモンモードノイズフィルターを模式的に表した斜視図である。
【図３】第２実施形態例のコモンモードノイズフィルターにおけるフィルターメイン信号線路の配置構成を説明するための図である。
【図４】第２実施形態例のコモンモードノイズフィルターにおける連接用信号線路部分の構成を説明するための図である。
【図５】コモンモードノイズフィルターのその他の実施形態例を説明するための図である。
【図６】連接用信号線路のその他の形態例を示したモデル図である。
【図７】フィルターメイン信号線路のその他の形態例を示したモデル図である。
【図８】コモンモードチョークコイルを説明するためのモデル図である。
【符号の説明】
【００５７】
１  コモンモードノイズフィルター
２  磁性体基体
３ａ，３ｂ  フィルターメイン信号線路
４ａ，４ｂ，５ａ，５ｂ  連接用信号線路
６ａ，６ｂ，７ａ，７ｂ  差動線路接続用電極
１０  差動線路
１６  磁性体
１７  絶縁体
１８Ａ，１８Ｂ  グランド電極
【図１】
2005064976.tif 000003
【図２】
2005064976.tif 000004
【図３】
2005064976.tif 000005
【図４】
2005064976.tif 000006
【図５】
2005064976.tif 000007
【図６】
2005064976.tif 000008
【図７】
2005064976.tif 000009
【図８】
2005064976.tif 000010